(57)【要約】  【課題】  縫目強度の向上と、適度の伸縮性とを併せて実現することができる上、ルーパ糸の糸切れによる縫目の不要な解けを有効に防止することができる新規の縫目構造を実現するためのミシンを提供する。  【解決手段】  縫製生地Ｗの送り方向と略直交する面内に並び、各別に保持された針糸10，10，10と共に上下動する複数本の針１，１，１と、これらの針１，１，１の下動位置に配され、並び方向に進退動作する単一のルーパ２とを備える構成において、ルーパ２の先端と中途とに糸孔を形成し、これらの糸孔に第１のルーパ糸21と第２のルーパ糸22とを保持させて２重環縫いを実施する。【選択図】        図１
2006136564.tif 000002
【特許請求の範囲】
【請求項１】
縫製生地の送り方向と略直交する面内に並び、各別に保持された針糸と共に上下動する複数本の針と、これらの針の下動位置に配され、ルーパ糸を保持して前記針の並び方向に進退動作する単一のルーパとを備えるミシンにおいて、
前記ルーパは、先端部に形成され、第１のルーパ糸を挿通保持する第１の糸孔と、
中途部に形成され、第２のルーパ糸を挿通保持する第２の糸孔と
を備えることを特徴とするミシン。
【請求項２】
前記第２の糸孔の前記ルーパの背面への開口は、該ルーパの最大厚部と略面一をなす座面に形成してある請求項１記載のミシン。
【請求項３】
前記第２の糸孔は、前記第１の糸孔よりも下位置に形成してある請求項１又は請求項２記載のミシン。
【請求項４】
前記ルーパの前面に形成され、前記第１，第２のルーパ糸を前記第１，第２の糸孔に導く共通の糸道と、
該糸道と前記ルーパの基部とを連通し、前記第１，第２のルーパ糸を前記糸道に各別に導くべく形成された第１，第２の導入孔と
を備える請求項１乃至請求項３のいずれか１つに記載のミシン。
【発明の詳細な説明】
【技術分野】
【０００１】
本発明は、複数針２重環縫いミシン、複数針偏平縫いミシン等、複数本の針と単一のルーパとの動作による縫いを構成するミシンに関する。
【背景技術】
【０００２】
複数針２重環縫いミシンは、生地の送りの方向と略直交する面内に並設され、前記生地を貫通して上下動する複数本の針と、該針の並設方向に前記生地の下面に沿って進退動作するルーパとを備えてなり、各針の下動により繰り出されて上動への転換時に生地の下側に形成される糸環列をルーパの進出により捉え、生地の送りに伴って引き出す一方、前記ルーパの進出により繰り出されるルーパ糸を、該ルーパの後側に下動する針により捉える動作を繰り返し、所定の縫目を形成するミシンである。
【０００３】
図６は、３本針２重環縫いミシンにより形成される縫目構造の説明図であり、生地の上下両面における縫目の状態が示されている。本図に示す如く２重環縫いの縫目は、縫製生地Ｗの上面に互いに平行をなして並び、送りピッチに対応する間隔にて縫製生地Ｗを上下に貫く３本の針糸10，10，10と、これらの針糸10，10，10に縫製生地Ｗの下面において絡み合う１本のルーパ糸20とにより構成されている（例えば、非特許文献１参照）。なお図中の白抜矢符は縫製生地Ｗの送り方向を示している。
【０００４】
針糸10，10，10は、貫通位置の夫々において縫製生地Ｗの下面に突出し、送りの方向に並ぶ糸環列11，11，11を形成しており、これらの糸環列11，11，11が、縫製生地Ｗの下面に沿って糸繰りされるルーパ糸20と絡み合わされ、図示の如き２重環縫いの縫目が形成される。このように形成される２重環縫いの縫目は、縫目強度が高く、縫いの方向への伸縮性に富むという優れた特性を有しており、更に、上飾り糸を追加して形成される偏平縫いの縫目は、針糸に規則的に絡み合う上飾り糸及びルーパ糸が縫製生地の表裏両面に夫々存在し、表裏両側からの見栄えが良好であるという意匠上の利点も有していることから、近年、各種衣料品の縫製に広範囲に採用されている。
【非特許文献１】「縫製事典」，繊維協会出版局発行，昭和４４年６月１日
【発明の開示】
【発明が解決しようとする課題】
【０００５】
ところが、近年における縫製品の多様化に伴って、より高い縫目強度の実現、伸縮性の抑制等、２重環縫い（偏平縫いを含む）の縫目構造によっても対応が難しい要求がなされる場合がある。また、図６に示す如く形成される２重環縫いの縫目構造においては、ルーパ糸20の一部を切断し、この切断端を引っ張った場合、針糸10の糸環列11，11，11との絡みが縫い始めの側に向けて順次外れ、縫目を連続して解くことができる。このことは、縫製ミスの発生時に縫い直しを簡易に実施するために有用である一方、縫製品としての使用中にルーパ糸が切れた場合に、広範囲に亘って縫目の解けを招来する結果となり、縫製品の品質向上を図る面からは好ましくない。
【０００６】
このような事情により本願出願人は、２重環縫いの縫目を基本とし、縫目強度を一層高めると共に、伸縮性を適度に抑制することができ、更に、ルーパ糸の糸切れによる縫目の不要な解けを有効に防止することができる新規の縫目構造を、特願2003−310199に提案している。図７は、この縫目構造を示す平面図であり、縫製生地Ｗの下面における縫目の一部が拡大して示されている。
【０００７】
本図に示す縫目構造は、３本の針糸10，10，10の夫々により、縫製生地Ｗの下面に互いに平行をなして並設された３つの糸環列11，11，11に、２本のルーパ糸（第１のルーパ糸21及び第２のルーパ糸22）を絡み合わせて構成されている。
【０００８】
３本の針糸10，10，10の夫々は、これらを保持する各別の針（図示せず）の上下動により、図中に白抜矢符にて示す方向に間欠的な送りを加えられる縫製生地Ｗを所定の送りピッチ毎に上下に貫通せしめられており、３つの糸環列11，11，11は、夫々の針の貫通位置に残される図示の如きループ状の糸環の並びとして形成されている。
【０００９】
第１のルーパ糸21は、図の右側から左側に向けて進出し、左側から右側に向けて退入する動作をなすルーパ（図示せず）により、３つの糸環列11，11，11の並設域の全幅に亘って糸繰りされ、全ての糸環列11，11，11と図示の如く絡み合わされて第１の２重環縫い部を構成している。一方、第２のルーパ糸22は、３つの糸環列11，11，11のうち、ルーパの進出側を除く２つの糸環列11，11の並設域の幅内にて糸繰りされ、これらと図示の如く絡み合わされて第２の２重環縫い部を構成している。
【００１０】
このような縫目構造においては、３本の針糸10，10，10と２本のルーパ糸21，22とが絡み合っていることから、通常の２重環縫いの縫目構造に比して高い縫目強度を得ることができ、また伸縮性の調整が可能である。更に、３つの糸環列11，11，11の全てに絡み合う第１のルーパ糸21と、２つの糸環列11，11に絡み合う第２のルーパ糸22とが、縫製生地Ｗの下面において相互に重なり合うため、ルーパ糸21，22の一方が中途において切断され、この切断端が引っ張られた場合においても、このルーパ糸21又は22の糸環列11，11，11からの外れが、他方のルーパ糸22，21の存在により阻止され、縫い始め側に向けて生じる縫目の解けを中途において止めることができる。
【００１１】
なお、縫目を解く場合、第１，第２のルーパ糸21，22を共に切断し、これらの切断端を交互に引っ張ればよく、例えば、縫製途中の縫い直しに対応することが可能であるが、第１，第２のルーパ糸21，22が共に切れ、これらが交互に引っ張られるという状況は、縫製品としての通常の使用状態において発生する虞れは殆どなく、糸切れに起因する縫目の不要な解けは防止されることとなる。
【００１２】
以上のように、図７に示す縫目構造は、通常の２重環縫いにおける利点を増進し、欠点を緩和し得る優れたものであるが、本願出願人による前記特願2003−310199には、この縫目構造を実現するためのミシンの具体的な構成が開示されていない。
【００１３】
本発明は斯かる事情に鑑みてなされたものであり、特願2003−310199に提案され、縫目強度の向上と、適度の伸縮性とを併せて実現することができる上、ルーパ糸の糸切れによる縫目の不要な解けを有効に防止することができる新規の縫目構造を実現するためのミシンを提供することを目的とする。
【課題を解決するための手段】
【００１４】
本発明の第１発明に係るミシンは、縫製生地の送り方向と略直交する面内に並び、各別に保持された針糸と共に上下動する複数本の針と、これらの針の下動位置に配され、ルーパ糸を保持して前記針の並び方向に進退動作する単一のルーパとを備えるミシンにおいて、前記ルーパは、先端部に形成され、第１のルーパ糸を挿通保持する第１の糸孔と、中途部に形成され、第２のルーパ糸を挿通保持する第２の糸孔とを備えることを特徴とする。      
【００１５】
本発明においては、ルーパの先端に設けた第１の糸孔に挿通保持された第１のルーパ糸を、複数本の針の夫々により糸繰りされる針糸の全部に絡ませ、また前記針糸の一部をルーパの中途に設けた第２の糸孔に挿通保持された第２のルーパ糸を、前記針糸の一部に絡ませて、前述した新規の縫目構造を実現する。
【００１６】
また本発明の第２発明に係るミシンは、第１発明における第２の糸孔のルーパの背面への開口が、該ルーパの最大厚部と略面一をなす座面に形成してあることを特徴とする。
【００１７】
この発明においては、針との衝突緩和のために上部の厚さを減じた３角形状の断面を有するルーパの背面の中途に、該背面と略面一となる座面を設け、この座面に開口するように第２の糸孔を形成し、ルーパの中途において第２の糸孔に挿通保持された第２のルーパ糸とルーパの背面との間に適宜の隙間を確保して、この背面側に下動する針により前記第２のルーパ糸を確実に捕捉させる。
【００１８】
また本発明の第３発明に係るミシンは、第１又は第２発明における第２の糸孔が、第１の糸孔よりも下位置に形成してあることを特徴とする。
【００１９】
この発明においては、第２の糸孔に保持された第２のルーパ糸を第１の糸孔に保持された第１のルーパ糸よりも下に位置させ、第２のルーパ糸が下動する針と交叉するタイミングを第１のルーパ糸のそれよりも遅らせて、第２のルーパ糸が、第１のルーパ糸のみに絡ませる針糸を糸繰りする針により誤って捕捉される虞れを緩和する。
【００２０】
更に本発明の第４発明に係るミシンは、第１〜第３発明のいずれかにおけるルーパの前面に形成され、前記第１，第２のルーパ糸を前記第１，第２の糸孔に導く共通の糸道と、該糸道と前記ルーパの基部とを連通し、前記第１，第２のルーパ糸を前記糸道に各別に導くべく形成された第１，第２の導入孔とを備えることを特徴とする。
【００２１】
この発明においては、ルーパに保持される第１，第２のルーパ糸を夫々の糸孔に導く糸道を共通とし、またこの糸道をルーパの基部に第１，第２の導入孔により連通し、これらの導入孔を第１，第２のルーパ糸の夫々専用の導入孔として使用して、限られたルーパの幅内での第１，第２のルーパ糸の導糸を確実に行わせる。
【発明の効果】
【００２２】
本発明の第１発明に係るミシンにおいては、単一のルーパの先端及び中途に第１，第２の糸孔を設け、これら夫々に第１，第２のルーパ糸を挿通保持させた構成としたから、複数の針糸の全てに絡む第１のルーパ糸と、一部に絡む第２のルーパ糸とによる新規の縫目構造を簡易に実現することが可能となる。
【００２３】
また第２発明に係るミシンにおいては．ルーパの中途に設けられる第２の糸孔のルーパの背面への開口を、該ルーパの最大厚部と略面一をなす座面に形成したから、第２の糸孔に保持された第２のルーパ糸とルーパの背面との間に適宜の隙間を確保し、ルーパの背面側（後側）に下動する針による第２のルーパ糸の捕捉を確実に行わせることができ、目飛びの発生を未然に防止して高品質の縫目を形成することが可能となる。
【００２４】
また第３発明に係るミシンにおいては、第２のルーパ糸を保持する第２の糸孔を第１のルーパ糸を保持する第１の糸孔よりも下位置に形成したから、ルーパの背面への第２のルーパ糸の導出位置が第１のルーパ糸の導出位置よりも下となり、この背面側に下動する針と第２のルーパ糸との交叉が第１のルーパ糸との交叉に遅れて生じ、第１のルーパ糸のみを捕捉すべき針による第２のルーパ糸の誤った捕捉を防止して前述した新規の縫目を良好に形成することができる。
【００２５】
更に第４発明に係るミシンにおいては、第１，第２の糸孔へ第１，第２のルーパ糸を導く糸道を共通とし、この糸道への第１，第２のルーパ糸の導入孔を各別に設けたから、限られたルーパの幅内において第１，第２のルーパ糸を、絡み合いを生じることなく確実に第１，第２の糸孔に導くことができ、導糸に支障を来すことなく安定した縫製を実施することが可能となる等、本発明は優れた効果を奏する。
【発明を実施するための最良の形態】
【００２６】
以下本発明をその実施の形態を示す図面に基づいて詳述する。図１は本発明に係るミシンによる縫製動作の説明図である。なお本図には、図示しない針板上にて送りを加えられる生地Ｗを、３本の針１，１，１と１本のルーパ２とにより縫製する３本針２重環縫いミシンが示されているが、以下に述べる本発明の特徴的な構成は、複数本（２本又は４本以上）の針を備える複数針２重環縫いミシン（偏平縫いミシンを含む）全般に適用可能であることは言うまでもない。
【００２７】
前記針１，１，１は、生地Ｗに加えられる送りの方向と直交する面内に並設され、前記生地Ｗの送り域を含んで所定ストロークの上下動作するようになしてあり、また前記ルーパ２は、針板の下部に配され、針１，１，１の並設方向に生地Ｗの下面に沿って進退動作するようになしてある。
【００２８】
前記生地Ｗの送り方向は、図中に白抜矢符により示してあり、以下の説明においては、送り方向の上流側（図の左側）を前、下流側（図の右側）を後とする。またルーパ２は、図における左向きに進出動作し、同じく右向きに退入動作することから、ルーパ２の動作については、左進及び右退なる記述を用いる。このルーパ２の進退動作は、前後の移動を伴って、針１，１，１の降下位置を内側に含む長円形の軌道に沿って生じ、ルーパ２の左進は、針１，１，１の後側を通って行われ、同じく右退は、針１，１，１の前側を通って行なわれる。なお、ルーパ２をこのように進退動作させる機構は、針１，１，１を上下動させる機構と共に、従来の２重環縫いミシン及び偏平縫いミシンにおいて公知の機構であり、構成及び動作の説明は省略する。
【００２９】
各針１には、下端近傍を前後に貫通する糸孔12（図５参照）が形成されており、この糸孔12に上方から導かれる針糸10が前側から挿通保持させてあり、この針糸10は、針１の下動により生地Ｗを貫通して針板下に繰り出される。またルーパ２には、先端近傍及び中途部を前後に貫通する第１，第２の糸孔３，４（図２〜４参照）が形成されており、これらの糸孔３，４には、基端側から後述の如く導かれる第１のルーパ糸21及び第２のルーパ糸22が前側から挿通保持させてあり、これら第１，第２のルーパ糸21，22は、ルーパ２の左進により前述した経路に沿って繰り出される。
【００３０】
本発明に係るミシンの特徴は、以上の如き第１，第２の糸孔３．４を備えるルーパ２の構成にある。図２は、本発明に係るミシンに備えられるルーパ２の正面図、図３は、同じく上面図、図４は、同じく背面図である。
【００３１】
これらの図に示す如くルーパ２は、下方及び前方に向けて嘴状に尖らせた先端23を有する公知の形状を有している。ルーパ２の基端部には、下方に向けて支持杆24が突設されており、該ルーパ２は、図２に示す如く、ルーパ棒５の先端のルーパ台50に前記支持杆24を差し込み固定して支持され、図示しない主軸からの伝動によるルーパ棒５の軸長方向の進退動作に応じて前述した左進及び右退動作を行うようにしてある。
【００３２】
ルーパ２の先端23に連続する部分には、図３に示す如く、下縁を最大厚とし、上縁に向けて厚さを減じるように、前側（図３における下側）に向けてテーパ状に傾斜する傾斜面25が設けてあり、後述の如くルーパ２の後側に降下する針１，１，１の先端が衝突したとき、この針１，１，１を前記傾斜面25の作用によりルーパ２の後側に導くように構成されている。
【００３３】
図２に示す如くルーパ２の前面には、適宜の深さを有する凹溝の形態をなす糸道26が、長さ方向に延設されており、第１の糸孔３は、前記糸道26の一側端部にルーパ２の先端23を斜めに貫通するように形成されている。糸道26の中途部には、第１の糸孔３の形成位置からルーパ２の基端側に向けて所定長離隔した位置に下方に拡がる拡幅部が設けてあり、第２の糸孔４は、この拡幅部の略中央に貫通形成され、第１の糸孔３よりも下位置となるように設けてある。
【００３４】
また図４に示す如く、ルーパ２の背面には、第２の糸孔４の貫通位置を略中央として糸孔座27が突設されている。この糸孔座27は、図３に示す如く、最大厚を有するルーパ２の下縁と略面一となる高さを有しており、第２の糸孔４の開口端とルーパ２の後側の傾斜面25との間に所定の寸法を確保すると共に、ルーパ２の後側に降下する針１，１，１との干渉を回避し得るように構成されている。
【００３５】
前記糸道26の他側は、ルーパ２の基端部に向けて幅を増大させてあり、同側の端部は、上下に並べて形成された第１，第２の導入孔28，29によりルーパ２の基端面に連通されている。第１の導入孔28は、第１のルーパ糸21を挿通すべく、また第２の導入孔29は、第２のルーパ糸22を挿通すべく設けてあり、これらのルーパ糸21，22は、糸道26の内側に沿ってルーパ２の先端に向けて導かれ、第１のルーパ糸21は、糸道26の先端に開設された第１の糸孔３を経て、また第２のルーパ糸22は、糸道26の中途に開設された第２の糸孔４を経てルーパ２の後側に導出される。
【００３６】
ここで、ルーパ２の後側への第１の糸孔３の開口は、前述した形状を有する先端23に設けてあり、同じく第２の糸孔４の開口は、ルーパ２の最大厚部と略面一をなす糸孔座27に設けてあるから、図３中に２点鎖線により示す如く、これらを経てルーパ２の後側に導出される第１のルーパ糸21及び第２のルーパ糸22と、ルーパ２の後面を形成する傾斜面25との間に適宜の隙間を確保することができる。
【００３７】
また第１，第２のルーパ糸21，22は、共通の糸道26を経て第１，第２の糸孔３，４に導かれるから、幅が限定されたルーパ２の前面に沿って確実に導糸させることができ、また前記糸道26への第１，第２のルーパ糸21，22の導入が、第１，第２の導入孔28，29を経て各別になされるから、両ルーパ糸21，22が共通の糸道26内にて絡み合い、導糸に支障を来す虞れを未然に回避することができる。
【００３８】
以上の如く構成されたルーパ２は、ミシン本体からのルーパ棒５介してなされる伝動により針１，１，１と関連して進退動作し、針１，１，１の下動と共に右退し、針１，１，１の上動と共に左進する。図１（ａ）は、ルーパ２が左進端にある状態を示している。このとき針１，１，１は、上死点の近傍にあり、ルーパ２は、左進の過程において捕捉した針糸10，10，10のループを保持している。左進端へ到達したルーパ２は、図１（ａ）中に矢符により示す如く前方への所定の移動を伴って右退を開始し、該ルーパ２に保持された針糸10，10，10は、この間に図中に白抜矢符により示す如く生地Ｗに加えられる送りにより、相対的に前方に引き出される。
【００３９】
図１（ｂ）は、ルーパ２が右退中の状態を示している。針１，１，１は、ルーパ２の右退に先立って下動を開始しており、前記送りの完了後に生地Ｗを貫通して針板下に達し、右退中のルーパ２に保持された針糸10，10，10の左後側に、これらと第１，第２のルーパ糸21，22により形成される三角形の領域内に挿通される。
【００４０】
図５は、下動する針１，１，１とルーパ２との位置関係を示す説明図である。本図は、後方（ルーパ２の背面側）から見た図であり、ルーパ２は、図中に矢符により示す如く、左方向に退入動作する。針１，１，１は、公知の２重環縫いミシン及び偏平縫いミシンにおけると同様に、夫々の先端がルーパ２の進出側に向けて下位置となるように長さを異ならせ、下動する針１，１，１の先端が、進出側に位置する針１から退入側に位置する針１の順にルーパ２の動作域に達するようになしてある。
【００４１】
図５（ａ）は、進出側に位置する針１がルーパ２の動作域に達した状態を示している。このときルーパ２の先端に形成された第１の糸孔３は、前記針１の先端よりも進出側に位置するが、ルーパ２の中途に形成された第２の糸孔４は、前記針１の先端よりも退入側に位置しており、進出側に位置する針１は、第１の糸孔３から導出された第１のルーパ糸21のみを捕捉する。
【００４２】
また第２の糸孔４は、前述した如く第１の糸孔３よりも下位置に形成されている。従って、第２の糸孔４から導出される第２のルーパ糸22は、図示の如く、第１の糸孔３から導出される第１のルーパ糸21よりも下に位置することとなり、下動する針１，１，１と、第１，第２のルーパ糸21，22との交叉タイミングに時間差が生じる。これにより図５（ａ）に示す如く、進出側に位置する針１が第１のルーパ糸21を捕捉した後、第２のルーパ糸22と交叉するまでの間に時間遅れがあり、この間にルーパ２は退入し、第２の糸孔４の形成位置が図よりも左側に移動するから、第２の糸孔４に保持された第２のルーパ糸22が進出側に位置する針１に誤って捉えられる虞れを回避することができる。特に、ルーパ２の動作速度が大きい場合、第２の糸孔４から導出される第２のルーパ糸22は、慣性の作用により進出側に取り残されるように撓む虞れがあり、第２の糸孔４を下に配置することは、このように撓みを生じた第２のルーパ糸22の誤った捕捉を防止するために有用である。
【００４３】
なお、第１の糸孔３と第２の糸孔４との上下方向の位置差寸法ａ（図４参照）は、ルーパ２の動作速度、針１，１，１の並設間隔等、関連各部の速度及び寸法に応じて決定されるが、一般的には 0.3mm〜1.5mm とすればよい。
【００４４】
図５（ｂ）は、中央に位置する針１が，また図５（ｃ）は、退入側に位置する針１がルーパ２の動作域に達した状態を夫々示している。このときルーパ２に形成された第１，第２の糸孔３，４は、夫々の針１，１の先端よりも進出側に共に位置しており、中央の針１及び退入側の針１は、第１，第２の糸孔３，４から導出された第１，第２のルーパ糸21，22を合わせて捕捉する。
【００４５】
以上の如く、下動によりルーパ２の動作域に達する３本の針１，１，１のうち、ルーパ２の進出側に位置する１本の針１は、ルーパ２に保持された第１のルーパ糸21のみを捕捉し、他の２本の針１，１は、ルーパ２に保持された第１，第２のルーパ糸21，22を共に捕捉する。前述の如く、第１，第２の糸孔３，４からの第１，第２のルーパ糸21，22の導出は、ルーパ２の後面との間に所定の隙間を確保した状態でなされており、これらのルーパ糸21，22は、下動する針１，１，１により確実に捕捉され、捕捉ミスによる目飛びの発生を有効に防止することができる。
【００４６】
ルーパ２に保持された針糸10，10，10のループは、図１（ｃ），（ｄ）に示す如く、ルーパ２の右退に伴って順次外れ、全てのループに２重に挿通された第１のルーパ糸21と、右側の２つのループに２重に挿通された第２のルーパ糸22とは、夫々の針１，１，１に受け渡され、また各針１，１，１間において、夫々のループを構成する針糸10，10，10への付与張力により、図１（ｅ），（ｆ）に示す如く、針１，１，１の前回の挿通孔に引き締められる。
【００４７】
図１（ｄ）から（ｅ）に示す如く、右退端に到達したルーパ２は、後方への所定の移動を伴って左進を開始し、またこのとき針１，１，１は、下動から上動に転換する。ルーパ２の左進は、後方への移動により針１，１，１の後側に沿って生じ、各針１，１，１の上動に伴って夫々の後側に形成される針糸10，10，10のループは、図１（ｆ）に示す如く，左進するルーパ２により順次捉えられ、上動に伴って針１，１，１から外れる第１，第２のルーパ糸21，22は、左進するルーパ２に捉えられている針糸10，10，10のループ（前ループ）と、先にルーパ２から外れた針糸10，10，10のループ（後ループ）との間に掛け渡されて図１（ａ）の状態に復帰する。
【００４８】
なお、図１（ｆ）においては、針糸10，10，10と第１，第２のルーパ糸21，22との関係を明らかとするために、後ループが緩んでいるかの如くに図示されているが、このループは、実際には、図１（ｄ）から（ｅ）への移行の間に十分に引き締められている。
【００４９】
以上の過程において、第１のルーパ糸21の掛け渡しは、３本の針糸10，10，10の全てに対して行われ、第２のルーパ糸22の掛け渡しは、ルーパ２の退入側に位置する２本の針糸10，10に対して行われるから、図１（ａ）〜図１（ｆ）の動作の繰り返しにより、前記図７に示された縫目が形成される。
【００５０】
なお以上の実施の形態においては、縫製生地Ｗの下面に並ぶ３つの糸環列11，11，11のうちの２つの糸環列11，11に第２のルーパ糸22が絡み合ってなる縫目構造を得る場合について説明したが、第２のルーパ糸22を挿通保持する第２の糸孔４をルーパ２の基端側に寄せて形成することにより、１つの糸環列11のみに第２のルーパ糸22が絡み合ってなる縫目構造を得ることも可能である。このような縫目構造も、前記特願2003−310199に提案されている。
【図面の簡単な説明】
【００５１】
【図１】本発明に係るミシンによる縫製動作の説明図である。
【図２】本発明に係るミシンに備えられるルーパの正面図である。
【図３】図２に示すルーパの上面図である。
【図４】図２に示すルーパの背面図である。
【図５】下動する針とルーパとの位置関係を示す説明図である。
【図６】３本針２重環縫いミシンにより形成される縫目構造の説明図である。
【図７】本発明に係るミシンにより実現すべき縫目構造を示す平面図である。
【符号の説明】
【００５２】
１    針
２    ルーパ
３    第１の糸孔
４    第２の糸孔
10    針糸
21    第１のルーパ糸
22    第２のルーパ糸
26    糸道
27    糸孔座
28    第１の導入孔
29    第２の導入孔
Ｗ    縫製生地
【図１】
2006136564.tif 000003
【図２】
2006136564.tif 000004
【図３】
2006136564.tif 000005
【図４】
2006136564.tif 000006
【図５】
2006136564.tif 000007
【図６】
2006136564.tif 000008
【図７】
2006136564.tif 000009